(57)【要約】【課題】  収穫物の収穫や運搬、又は収穫物に混入した異物の除去等の各過程において、優れた作業性を発揮する収穫用巻き布を提供する。【解決手段】  長手方向の一端部にフック１２が取り付けられた長方形の粗布１１からなり、フック１２を粗布１１の長手方向の他端側に掛止することによって葉たばこ等の収穫物を結束する収穫用巻き布１０において、粗布１１のフック１２を掛止する側の外側表面に粗布１１の長手方向に沿った目盛１４を設けた。収穫用巻き布１０を提げるための把手１５は、粗布１１の外側表面における短手方向一方寄りに取り付けられており、粗布１１の外観色には、マンセル表色系で色相が５ＢＧ〜５ＰＢの範囲に属する色が選択されている。【選択図】  図１
2005143302.tif 000002
【特許請求の範囲】
【請求項１】
長手方向の一端部にフックが取り付けられた長方形の粗布からなり、前記フックを前記粗布の長手方向の他端側に掛止することによって収穫物を結束する収穫用巻き布において、前記粗布の前記フックを掛止する側の外側表面に前記粗布の長手方向に沿った目盛が設けられてなる収穫用巻き布。
【請求項２】
前記目盛が設けられた位置に前記フックを掛止するための鳩目金具が取り付けられてなる請求項１記載の収穫用巻き布。
【請求項３】
長手方向の一端部にフックが取り付けられた長方形の粗布からなり、前記フックを前記粗布の長手方向の他端側に掛止することによって収穫物を結束する収穫用巻き布において、該収穫用巻き布を提げるための把手が前記粗布の外側表面における短手方向一方寄りに取り付けられてなる収穫用巻き布。
【請求項４】
長手方向の一端部にフックが取り付けられた長方形の粗布からなり、前記フックを前記粗布の長手方向の他端側に掛止することによって収穫物を結束する収穫用巻き布において、前記粗布の少なくとも片側表面の外観色が、青を基調とする色である収穫用巻き布。
【請求項５】
前記粗布の少なくとも片側表面の外観色が、マンセル表色系で色相が５ＢＧ〜５ＰＢの範囲に属する色である請求項４記載の収穫用巻き布。
【請求項６】
長手方向の一端部にフックが取り付けられた長方形の粗布からなり、前記フックを前記粗布の長手方向の他端側に掛止することによって収穫物を結束する収穫用巻き布において、前記粗布の外側表面に熱反射シートが貼着されてなる収穫用巻き布。
【請求項７】
前記熱反射シートがアルミシートである請求項６記載の収穫用巻き布。
【発明の詳細な説明】
【技術分野】
【０００１】
本発明は、葉たばこ等の収穫物を結束するための収穫用巻き布に関する。特に、収穫物の収穫や運搬、又は収穫物に混入した異物の除去等の各過程において、優れた作業性を発揮する収穫用巻き布に関する。
【背景技術】
【０００２】
葉たばこ等の収穫物を結束するために従来使用されていた収穫用巻き布として、特許文献１には、長方形の粗布の上面一側に沿い引掛用の鉤を有する座板を複数個取り付けてなる葉たばこ結束具が記載されている。これにより、葉たばこの量に応じて大小任意の束に手早く結束ができるとともに、これを容易に解除できる葉たばこ結束具を提供できる旨が記載されている。
【０００３】
また、特許文献２には、長方形の粗布の表面における一方の短辺側に沿い複数個の引掛用鉤を起伏及び回動自在に取り付け、しかして両側の短辺に沿い相対する目印及び提げ手を備えてなる葉たばこ収穫布が記載されている。これにより、安全で、正確に巻くことができ、運搬も容易な葉たばこ収穫布を提供できる旨が記載されている。
【０００４】
【特許文献１】実開昭４７―０３７８９９号（実用新案登録請求の範囲、第１図、第２図）
【特許文献２】実開昭４９―００７１９９号（実用新案登録請求の範囲、第１図、第３図）
【発明の開示】
【発明が解決しようとする課題】
【０００５】
しかし、特許文献１の葉たばこ結束具や特許文献２の葉たばこ収穫布は、収穫物を容易に結束でき、それを容易に解除できることに関しては、一定の効果を奏するものではあったが、それらによって結束された収穫物の重量が容易に判断できるものではなく、収穫物が葉たばこである場合には乾燥させる際、また、収穫物が葉たばこ以外のものである場合には出荷する際に、葉たばこ等の収穫物の重量を秤にかけて測定する必要があるものであった。
【０００６】
また、特許文献１の葉たばこ結束具によって結束された収穫物を運搬する際には、葉たばこ結束具を腕で抱えたり肩に担いだりしなければならず、収穫物の運搬作業を煩わしく感じることもあった。一方、特許文献２の葉たばこ収穫布は、提げ手を備えたものであり、特許文献１の葉たばこ結束具と比較して収穫物の運搬が容易なものではあったが、その提げ手は粗布の短手方向中央部に取り付けられており、運搬の際にバランスを取り易いものとは言えなかった。収穫された葉たばこは中骨側に重心があるのが通常であり、特許文献２の葉たばこ収穫布を使用して葉たばこを運搬する際には、該葉たばこ収穫布が、それが結束している葉たばこの中骨側に傾くことが多々あった。葉たばこ以外の収穫物においてもその重心が中心にあるとは限らない。
【０００７】
さらに、特許文献１の葉たばこ結束具や特許文献２の葉たばこ収穫布は、熱の反射を促すための工夫が特に施されたものではなかったために、葉たばこ結束具等によって結束された収穫物が、気温や湿度によっては蒸れてしまうおそれもあった。さらにまた、これらの葉たばこ結束具等は、その表面の外観色が乾燥した葉たばこと同系色のベージュ色であるものが一般的に使用されており、葉たばこ結束具のほつれ片等の異物が葉たばこに混入した場合には、混入した異物を視覚センサや目視等で判別し難いものであった。
【０００８】
本発明は、上記課題を解決するためになされたものであり、収穫物の収穫や運搬、又は収穫物に混入した異物の除去等の各過程において、優れた作業性を発揮する収穫用巻き布を提供するものである。即ち、結束する収穫物の重量が容易に判断できる収穫用巻き布を提供するものである。また、作業者や収穫物を傷つけるおそれのない収穫用巻き布を提供するものである。さらに、収穫物を結束した状態でバランスよく運搬できる収穫用巻き布を提供するものである。さらにまた、視覚センサや目視等によって収穫物に混入した異物を容易に判別することのできる収穫用巻き布を提供するものである。また、熱を吸収し難く内部の収穫物を蒸らすことのない収穫用巻き布を提供するものである。
【課題を解決するための手段】
【０００９】
上記課題は、長手方向の一端部にフックが取り付けられた長方形の粗布からなり、前記フックを前記粗布の長手方向の他端側に掛止することによって収穫物を結束する収穫用巻き布において、前記粗布の前記フックを掛止する側の外側表面に前記粗布の長手方向に沿った目盛が設けられてなる収穫用巻き布を提供することによって解決される。この目盛は、プリントや織込、その他の一般的な方法によって設けられる。これにより、結束する収穫物の重量が容易に判断できる収穫用巻き布を提供することが可能となる。このとき、前記目盛が設けられた位置に前記フックを掛止するための鳩目金具が取り付けられているとより好ましい。
【００１０】
また、上記課題は、長手方向の一端部にフックが取り付けられた長方形の粗布からなり、前記フックを前記粗布の長手方向の他端側に掛止することによって収穫物を結束する収穫用巻き布において、該収穫用巻き布を提げるための把手が前記粗布の外側表面における短手方向一方寄りに取り付けられてなる収穫用巻き布を提供することによっても解決される。これにより、収穫物の重心が収穫用巻き布の短手方向の把手側となるように収穫物を収穫用巻き布で結束して、収穫物をバランスよく運搬することが可能となる。
【００１１】
さらに、上記課題は、長手方向の一端部にフックが取り付けられた長方形の粗布からなり、前記フックを前記粗布の長手方向の他端側に掛止することによって収穫物を結束する収穫用巻き布において、前記粗布の少なくとも片側表面（内側表面及び／又は外側表面）の外観色が、青を基調とする色である収穫用巻き布を提供することによっても解決される。これにより、視覚センサや目視等によって収穫物に混入した異物を容易に判別できる収穫用巻き布を提供することが可能となる。このとき、前記粗布の少なくとも片側表面の外観色が、マンセル表色系で色相が５ＢＧ〜５ＰＢの範囲に属する色であるとより好ましい。粗布が、青色系の顔料が配合された色糸（テープ）を織り込むことによって形成されていることも好ましい。これにより、色が落ちるのを防止することができる。
【００１２】
さらにまた、上記課題は、長手方向の一端部にフックが取り付けられた長方形の粗布からなり、前記フックを前記粗布の長手方向の他端側に掛止することによって収穫物を結束する収穫用巻き布において、前記粗布の外側表面に熱反射シートが貼着されてなる収穫用巻き布を提供することによっても解決される。これにより、熱を吸収し難く内部の収穫物を蒸らすことのない収穫用巻き布を提供することが可能となる。このとき、前記熱反射シートがアルミシートであるとより好ましい。
【発明の効果】
【００１３】
本発明の収穫用巻き布は、上述のように、結束する収穫物の重量の概略が容易に判断できるものである。また、作業者や収穫物を傷つけるおそれのないものである。さらに、収穫物を結束した状態でバランスよく運搬できるものである。さらにまた、視覚センサや目視等によって収穫物に混入した異物を容易に判別できるものである。また、熱を吸収し難く内部の収穫物を蒸らすことのないものである。このため、収穫物の収穫や運搬、又は収穫物に混入した異物の除去等の各過程において、優れた作業性を発揮する収穫用巻き布を提供することが可能となる。
【発明を実施するための最良の形態】
【００１４】
以下、図面を使用して、本発明の収穫用巻き布の好適な実施態様を具体的に説明するが、本発明の収穫用巻き布の実施態様はこれに限定されるものではない。図１は、収穫用巻き布の平面図である。図２は、図１に示す収穫用巻き布の底面図である。図３は、図１に示す収穫用巻き布で葉たばこを結束した状態を示した斜視図である。図４は、図１に示す収穫用巻き布の目盛周辺を拡大した平面図である。図５は、尖った先端部を有するフックを示した平面図である。図６は、丸い先端部を有するフックを示した平面図である。図７は、鳩目金具を分解した状態を示した斜視図である。図８は、図１におけるＡ―Ａ断面のＢ部拡大断面図である。
【００１５】
収穫用巻き布１０は、図１又は図２に示すように、長手方向の一端部にフック１２が取り付けられた長方形の粗布１１からなり、図３に示すように、フック１２を粗布１１の長手方向の他端側に掛止することによって葉たばこ等の収穫物４０を結束するものである。粗布１１のフック１２を掛止する側の外側表面には、図１又は図４に示すように、粗布１１の長手方向に沿った目盛１４が設けられている。
【００１６】
このように、収穫用巻き布１０に目盛１４を設けることによって、収穫用巻き布１０に結束された収穫物の重量を容易に判断することが可能となる。収穫用巻き布１０に結束された収穫物の重量は、筒状に巻かれた収穫用巻き布１０の周の長さ（フック１２が掛止される位置）と相関関係があるためである。例えば、円筒状（内半径Ｒ（ｃｍ）、高さＨ（ｃｍ））に巻かれた収穫用巻き布１０の内側の空間に収穫物（密度ρ（ｋｇ／ｃｍ３））が一様に存在すると仮定した場合には、収穫用巻き布１０によって結束された収穫物の重量（Ｍ（ｋｇ））は、πρＨＲ２（πは円周率）で表すことができる。半径Ｒは、収穫用巻き布１０が形成する円筒の内周の長さＬ（ｃｍ）と比例関係（Ｌ＝２πＲ）にあり、長さＬは目盛１４を目安に容易に求めることができる。
【００１７】
このとき、目盛１４には、図１又は図４に示すように、「１」、「２」、「３」、「４」、・・・といった指標を予め記しておくことが好ましい。これにより、作業者が重量Ｍをさらに容易に判断することが可能となる。例えば、フック１２が指標「１」が記された箇所に掛止されている場合には重量Ｍが１０ｋｇ、指標「２」が記された箇所に掛止されている場合には重量Ｍが１１ｋｇといった具合に、各指標と重量Ｍとを一義的に対応させることができる。目盛１４の指標は、「１」、「２」、「３」、「４」、・・・といった数字だけでなくその他の文字や記号等を使用したものであってもよい。
【００１８】
目盛間隔Ｌ１〜Ｌ３（図４）は、収穫用巻き布１０の寸法や収穫物の種類等によって異なり特に限定されるものではないが、フック１２を掛止する箇所を指標「１」から指標「２」、指標「２」から指標「３」、指標「３」から指標「４」と段階的に変化させた場合に、重量Ｍができるだけ一定の幅で変化するように設けることが好ましい。しかし、重量Ｍを内半径Ｒではなく長さＬを用いて表すと（ρＨＬ２）／（４π）になり、目盛間隔Ｌ１〜Ｌ３を一定にしても、フック１２を掛止する箇所を指標「１」から指標「２」に変えたときの重量Ｍの増加量Ｍ１（ｋｇ）と、指標「２」から指標「３」に変えたときの重量Ｍの増加量Ｍ２（ｋｇ）と、指標「３」から指標「４」に変えたときの重量Ｍの増加量Ｍ３（ｋｇ）とが等しくならないことが分かる。増加量Ｍ１〜Ｍ３を理論的に一致させるためには、目盛間隔Ｌ１〜Ｌ３を１次関数的に減少させる必要があるが、実際には、収穫物や収穫用巻き布１０の重量等によって、収穫用巻き布１０が幾分潰れた形状となり完全な円筒とならないために、あるいは収穫物の密度が下側の方で大きくなるために、この限りではない。
【００１９】
本実施態様の収穫用巻き布１０においては、目盛間隔Ｌ１〜Ｌ３を全て６ｃｍで統一している。これは、目盛間隔Ｌ１〜Ｌ３を全て６ｃｍで統一すると、収穫用巻き布１０によって結束される葉たばこの重量を、約１３．０ｋｇ（フック１２が目盛１４の「１」に掛止されたとき）、約１３．５ｋｇ（フック１２が目盛１４の「２」に掛止されたとき）、約１４．０ｋｇ（フック１２が目盛１４の「３」に掛止されたとき）、約１５．０ｋｇ（フック１２が目盛１４の「４」に掛止されたとき）といったように、０．５ｋｇ刻み又は１．０ｋｇ刻みで区切りよく判断できるからである。
【００２０】
粗布１１の材質は、収穫用巻き布１０として必要な引張強度を有するものであれば特に限定されないが、本実施態様においては、優れた引張強度を有しながらも、非常に軽くて価格が安いポリプロピレンを使用している。ポリプロピレンは、燃焼してもダイオキシン等の有害物質が発生し難く、リサイクル性が非常に高い。このポリプロピレンを溶融してテープ状（幅１〜２ｍｍ、厚さ０．３〜１．０ｍｍ）に成形した線材を垂直な２方向に織り込むことによって粗布１１を得た。粗布１１の長手方向の両端は、折り返された状態で縫着（縫目２０，２２）されており、粗布１１を形成する線材が解れるのを防止している。これと同様のことを、粗布１１の短手方向の両端に施してもよい。
【００２１】
粗布１１に取り付けるフックは、本実施態様において、図５に示すものを使用している。このフック１２は、尖った先端部を有しており、粗布１１の織目に容易に掛止することができるものとなっている。これに対し、図６に示す丸い先端部を有するフック１２を使用する場合もある。これにより、フック１２をより安全なものとすることができる。この場合には、図７に示すような鳩目金具３０を粗布１１に予め取り付けておくと、フック１２を粗布１１に容易に掛止することができるために好ましい。また、この鳩目金具３０を所定の間隔で配置することによって目盛１４を形成してもよい。いずれのフック１２も、その基部に形成されたリング部を粗布１１に縫着されたフックバンド１３に通すことによって、粗布１１に取り付けることが可能なものとなっている。
【００２２】
粗布１１とフックバンド１３との縫着は、図８に示すように、粗布１１を２度折り返し、それによって形成された一方の谷にフックバンド１３の端部を挿入した状態で行われる。フックバンド１３は、Ｃ部又はＤ部での縫着によって粗布１１に取り付けられる。これにより、フックバンド１３に大きな張力が加えられた場合であっても、フックバンド１３が粗布１１から外れるのを防止することが可能となる。図１における縫目２１は、図８におけるＣ部での縫着によって形成されたものであり、図１における縫目２３は、図８におけるＤ部での縫着によって形成されたものである。
【００２３】
収穫用巻き布１０を提げるための把手１５は、本実施態様において、図１又は図４に示すように、粗布１１の外側表面における短手方向（図１又は図４の左右方向）の一方寄り（左寄り）に取り付けられている。把手１５は、両端部が粗布１１に縫着されている（縫目２４）。これにより、収穫物を収穫用巻き布１０で結束して、バランスよく運搬することが可能となる。収穫用巻き布１０で収穫物を結束する際には、収穫物の重心が把手１５が取り付けられた側となるように収穫物を配するとよい。
【００２４】
粗布１１の少なくとも片側表面は、その外観色がマンセル表色系で色相が５ＢＧ〜５ＰＢの範囲に属するように着色されていることが好ましい。これにより、葉たばこ等の収穫物に混入した異物を容易に判別することが可能となる。この外観色の色相は、１０ＢＧ〜１０Ｂの範囲に属するとより好ましく、５Ｂであるとさらに好ましい。この外観色のマンセル表色系における彩度や明度は、その色相によっても異なり特に限定されないが、彩度は通常２以上であり、明度は通常２以上である。この外観色の彩度は、４以上であるとより好ましく、６以上であるとさらに好ましい。また、この外観色の明度は、４以上であるとより好ましく、６以上であるとさらに好ましい。本実施態様においては、ポリプロピレンを溶融してテープ状に成形する際に顔料を配合することによって、粗布１１の内側表面及び外側表面を着色した。
【００２５】
また、図示はしていないが、粗布１１の外側表面に熱反射シートを貼着することも好ましい。これにより、巻かれた収穫用巻き布１０の外側表面に日光が照射しても、その大部分を熱反射シートによって反射させることが可能となる。この場合には、熱反射シートを粗布１１の外側表面の実質的に前面に亘って貼着することが好ましい。熱反射シートとしては、アルミシート等が例示される。
【００２６】
本発明の収穫用巻き布は、様々な種類の収穫物に対して使用することが可能なものである。特に、背丈が３０〜１００ｃｍ程度の農作物に対して好適に使用できる。このような農作物としては、葉たばこを始め、菊やカーネーション等の花卉や、長葱等の野菜が例示される。
【図面の簡単な説明】
【００２７】
【図１】収穫用巻き布の平面図である。
【図２】図１に示す収穫用巻き布の底面図である。
【図３】図１に示す収穫用巻き布で葉たばこを結束した状態を示した斜視図である。
【図４】図１に示す収穫用巻き布の目盛周辺を拡大した平面図である。
【図５】尖った先端部を有するフックを示した平面図である。
【図６】丸い先端部を有するフックを示した平面図である。
【図７】鳩目金具を分解した状態を示した斜視図である。
【図８】図１におけるＡ―Ａ断面のＢ部拡大断面図である。
【符号の説明】
【００２８】
１０  収穫用巻き布
１１  粗布
１２  フック
１３  フックバンド
１４  目盛
１５  把手
２０〜２４  縫目
３０  鳩目金具
３１  雌部材
３２  雄部材
４０  収穫物
【図１】
2005143302.tif 000003
【図２】
2005143302.tif 000004
【図３】
2005143302.tif 000005
【図４】
2005143302.tif 000006
【図５】
2005143302.tif 000007
【図６】
2005143302.tif 000008
【図７】
2005143302.tif 000009
【図８】
2005143302.tif 000010